(57)【要約】【課題】外部装置に対して各種命令を行う際の利便性が高い端末装置、端末装置の操作方法、プログラムを提供する。【解決手段】複数の外部装置を撮像するカメラ機構１４と、カメラ機構１４の撮像結果から、複数の外部装置の並び順を認識するＣＰＵ１１と、複数の外部装置に対応する複数の装置画像を、認識された複数の外部装置の並び順にしたがって表示する操作パネル１５と、複数の装置画像のうち任意の装置画像を選択する選択操作に基づき、選択された任意の装置画像に対応する任意の外部装置に対して命令信号を送信する無線通信Ｉ／Ｆ１３と、を備えたことを特徴とする。【選択図】図２
2014099025.tif 000002
【特許請求の範囲】
【請求項１】
複数の外部装置の並び順を認識する認識部と、
前記複数の外部装置に対応する複数の装置画像を、前記認識部により認識された前記複数の外部装置の並び順にしたがって表示する表示部と、
前記複数の装置画像のうち任意の装置画像を選択する操作部と、
前記操作部により選択された前記任意の装置画像に対応する任意の外部装置、または当該任意の外部装置に接続された接続装置に対し、命令信号を送信する送信部と、を備えたことを特徴とする端末装置。
【請求項２】
前記命令信号は、前記任意の外部装置または前記接続装置から自端末装置への、所定の情報の送信を命令する信号であり、
前記所定の情報を受信する受信部をさらに備えたことを特徴とする請求項１に記載の端末装置。
【請求項３】
前記外部装置は、コンテンツを再生する再生装置であり、
前記所定の情報は、前記任意の外部装置における前記コンテンツの再生履歴であることを特徴とする請求項２に記載の端末装置。
【請求項４】
前記表示部は、前記任意の外部装置における前記コンテンツの再生履歴を、当該任意の外部装置に対応する前記装置画像に関連付けて表示することを特徴とする請求項３に記載の端末装置。
【請求項５】
前記外部装置は、１以上の操作部品を有し、
前記所定の情報は、前記任意の外部装置における各操作部品の使用履歴であることを特徴とする請求項２に記載の端末装置。
【請求項６】
前記外部装置に搭載された各操作部品の部品寿命を記憶する部品寿命記憶部をさらに備え、
前記表示部は、受信した前記各操作部品の使用履歴と、記憶されている前記各操作部品の部品寿命との比較結果を、前記任意の外部装置に対応する前記装置画像に関連付けて表示することを特徴とする請求項５に記載の端末装置。
【請求項７】
前記命令信号は、前記命令信号を送信する前記任意の外部装置または前記接続装置以外の他の装置、若しくは自端末装置への所定の情報の要求を命令する信号であることを特徴とする請求項１に記載の端末装置。
【請求項８】
複数の外部装置の並び順を認識するステップと、
前記複数の外部装置に対応する複数の装置画像を、認識された前記複数の外部装置の並び順にしたがって表示するステップと、
前記複数の装置画像のうち任意の装置画像を選択するステップと、
選択された前記任意の装置画像に対応する任意の外部装置、または当該任意の外部装置に接続された接続装置に対し、命令信号を送信するステップと、を実行することを特徴とする端末装置の操作方法。
【請求項９】
コンピューターに、請求項８に記載の端末装置の操作方法における各ステップを実行させるためのプログラム。
【発明の詳細な説明】
【技術分野】
【０００１】
本発明は、ＤＪプレーヤーなどの外部装置と通信を行う端末装置、端末装置の操作方法、プログラムに関する。
【背景技術】
【０００２】
従来、複数台のＤＪプレーヤーとＤＪミキサーが接続されたＤＪシステム（例えば、非特許文献１）において、ＤＪミキサーが各ＤＪプレーヤーに対しＩＤを割り当てる技術が知られている。この場合、ＤＪミキサーは、各ＤＪプレーヤーに対し、各ＤＪプレーヤーが接続された各入力端子に割り当てられているチャンネル番号をＩＤとして割り当てる（自動割当）。但し、チャンネル番号とＩＤは、その意味合いが異なるため（チャンネル番号は、主にアナログ音声信号の入力識別に用いられ、ＩＤは、主にプレーヤーの識別に用いられる）、チャンネル番号とは独立してＩＤを割り当てることも可能となっている（手動割当）。例えば、「ＩＤ＝２」のＤＪプレーヤーのアナログ音声出力を、ＤＪミキサーの「ＣＨ＝１」の入力端子に入力することも可能である。また、ＤＪミキサーが介在せず、複数台のＤＪプレーヤーのみがＬＡＮ接続された構成においては、ＤＪプレーヤー間でＩＤの割り当てが行われる。
【先行技術文献】
【非特許文献】
【０００３】
【非特許文献１】パイオニア株式会社  ＤＪミキサー  ＤＪＭ−２０００  取扱説明書  第６，７頁  ２０１０年版
【発明の概要】
【発明が解決しようとする課題】
【０００４】
このように、従来のＤＪシステムでは、各ＤＪプレーヤーに対し任意のＩＤを割り当て可能であると共に、ユーザーがＩＤの割り当てに関与できない場合がある。このため、どのＤＪプレーヤーにどのＩＤが割り当てられているのかをユーザーが瞬時に判断できず、混乱を来たす虞があった。また、ＤＪプレーヤーの並び順（配置）と、ＩＤの順序とが必ずしも一致しないため、ＤＪプレーヤーに各種命令（情報送信命令、情報要求命令など）を行う際、誤操作の可能性があった。
【０００５】
一方、例えばスマートフォン等の端末装置を用いてＤＪプレーヤーの操作を行う場合、各ＤＪプレーヤーに対応するアイコン（画像）を、端末装置の画面上に表示し、アイコンを指定して、任意のＤＪプレーヤーに命令を行うことが考えられる。ところがこの場合も、割り当てたＩＤの順にアイコンが表示されるため、アイコンの並び順と、ＤＪプレーヤーの並び順が一致せず、やはり不便であった。
【０００６】
本発明は、上記の問題点に鑑み、外部装置に対して各種命令を行う際の利便性が高い端末装置、端末装置の操作方法、プログラムを提供することを目的とする。
【課題を解決するための手段】
【０００７】
本発明の端末装置は、複数の外部装置の並び順を認識する認識部と、複数の外部装置に対応する複数の装置画像を、認識部により認識された複数の外部装置の並び順にしたがって表示する表示部と、複数の装置画像のうち任意の装置画像を選択する操作部と、操作部により選択された任意の装置画像に対応する任意の外部装置、または当該任意の外部装置に接続された接続装置に対し、命令信号を送信する送信部と、を備えたことを特徴とする。
【０００８】
本発明の端末装置の操作方法は、複数の外部装置の並び順を認識するステップと、複数の外部装置に対応する複数の装置画像を、認識された複数の外部装置の並び順にしたがって表示するステップと、複数の装置画像のうち任意の装置画像を選択するステップと、選択された任意の装置画像に対応する任意の外部装置、または当該任意の外部装置に接続された接続装置に対し、命令信号を送信するステップと、を実行することを特徴とする。
【０００９】
本発明の構成によれば、複数の外部装置の並び順にしたがって複数の装置画像を表示し、これら複数の装置画像の中から、命令信号の送信対象となる任意の装置画像を選択する構成であるため、外部装置に対して各種命令を行う際の利便性を向上できる。つまり、外部装置の並び順と装置画像の並び順が確実に一致するため、意図しない外部装置に対して、誤って命令信号を送信してしまうことがない。また、外部装置に対し直接的に命令する場合だけでなく、外部装置と接続された接続装置に対し、任意の外部装置を指定して命令を行う場合の利便性も向上できる。
なお、「複数の外部装置の並び順を認識する」とは、例えば外部装置からＭＡＣアドレスやＩＰアドレスなど、外部装置を一意に特定する情報を取得し、その取得順序を、並び順として認識することが考えられる。また、この場合、認識した並び順にしたがって、外部装置を識別するためのＩＤを付与することが好ましい。この構成によれば、外部装置の並び順と、装置画像の並び順と、ＩＤの並び順と、が一致するため、さらに利便性が良い。
また、「複数の外部装置」は、外部装置間が接続されていても良いし、接続されていなくても良い。また、「複数の外部装置」は、同一種類、同一機種でも良いし、異なる種類、異なる機種でも良い。
【００１０】
上記の端末装置において、命令信号は、任意の外部装置または接続装置から自端末装置への、所定の情報の送信を命令する信号であり、所定の情報を受信する受信部をさらに備えたことを特徴とする。
【００１１】
本発明の構成によれば、外部装置または接続装置に対し、所定の情報の送信命令を行う際の利便性を向上できる。
なお、「自端末装置」とは、端末装置自身を意味する。
【００１２】
上記の端末装置において、外部装置は、コンテンツを再生する再生装置であり、所定の情報は、任意の外部装置におけるコンテンツの再生履歴であることを特徴とする。
【００１３】
上記の端末装置において、表示部は、任意の外部装置におけるコンテンツの再生履歴を、当該任意の外部装置に対応する装置画像に関連付けて表示することを特徴とする。
【００１４】
本発明の構成によれば、コンテンツの再生履歴の送信命令を行う際の利便性を向上できる。また、受信したコンテンツの再生履歴を、対応する装置画像に関連付けて表示することで、ユーザーが、再生履歴と外部装置との関連性を一目で把握できる。
なお、「コンテンツ」とは、楽曲等の音声データ、映画等の映像データ、写真等の画像データ、小説等のテキストデータなど、各種情報を指す。
【００１５】
上記の端末装置において、外部装置は、１以上の操作部品を有し、所定の情報は、任意の外部装置における各操作部品の使用履歴であることを特徴とする。
【００１６】
上記の端末装置において、外部装置に搭載された各操作部品の部品寿命を記憶する部品寿命記憶部をさらに備え、表示部は、受信した各操作部品の使用履歴と、記憶されている各操作部品の部品寿命との比較結果を、任意の外部装置に対応する装置画像に関連付けて表示することを特徴とする。
【００１７】
本発明の構成によれば、操作部品の使用履歴の送信命令を行う際の利便性を向上できる。また、受信した操作部品の使用履歴（例えば、使用時間、使用回数、操作ログ情報など）と、その部品寿命との比較結果（例えば、残寿命、経時変化率など）を、対応する装置画像に関連付けて表示することで、ユーザーが、比較結果と外部装置との関連性を一目で把握できる。
なお、「操作部品の使用履歴と部品寿命との比較結果」とは、例えば残寿命を示す数値（日数、時間など）や、残寿命を示す色または記号を指す。また、「操作部品の使用履歴と部品寿命との比較結果」を表示するのではなく、「操作部品の使用履歴」そのものを表示しても良い。
【００１８】
上記の端末装置において、命令信号は、命令信号を送信する任意の外部装置または接続装置以外の他の装置、若しくは自端末装置への所定の情報の要求を命令する信号であることを特徴とする。
【００１９】
本発明の構成によれば、外部装置間、外部装置と接続装置間、若しくは外部装置または接続装置と自端末装置間における所定の情報の要求命令を行う際の利便性を向上できる。
なお、「所定の情報」とは、コンテンツ、コンテンツの再生履歴、操作部品の使用履歴などを指す。
【００２０】
本発明のプログラムは、コンピューターに、上記の端末装置の操作方法における各ステップを実行させることを特徴とする。
【００２１】
このプログラムを用いることにより、外部装置に対して各種命令を行う際の利便性が高い端末装置の操作方法を実現できる。
【図面の簡単な説明】
【００２２】
【図１】第１実施形態に係る通信システムのシステム構成図である。
【図２】端末装置のハードウェア構成を示すブロック図である。
【図３】ＩＤ付与処理の流れを示すフローチャートである。
【図４】機能選択画面の表示例を示す図である。
【図５】プレーヤー（Ａ）からの再生履歴取得処理の流れを示すフローチャートである。
【図６】再生履歴表示画面の表示例を示す図である。
【図７】ミキサーからの使用履歴取得処理の流れを示すフローチャートである。
【図８】残寿命表示画面の表示例を示す図である。
【図９】プレーヤー（Ａ）への楽曲ロード処理の流れを示すフローチャートである。
【図１０】プレーヤー間の楽曲ロード処理の流れを示すフローチャートである。
【図１１】第２実施形態に係る通信システムのシステム構成図である。
【図１２】第２実施形態に係るプレーヤー（Ａ）からの再生履歴取得処理の流れを示すフローチャートである。
【発明を実施するための形態】
【００２３】
以下、本発明の一実施形態について、添付図面を参照しながら詳細に説明する。本実施形態では、外部装置としてＤＪプレーヤー（以下、単に「プレーヤー」と称する）２１と、ＤＪミキサー２２（以下、単に「ミキサー」と称する）を用いた場合について例示する。
【００２４】
［第１実施形態］
図１は、第１実施形態に係る通信システムＳＹのシステム構成図である。通信システムＳＹは、端末装置１と、複数台の外部装置２と、無線アクセスポイント（以下、「無線ＡＰ」と表記する）３と、を備えている。複数台の外部装置２と無線ＡＰ３は、有線／無線ＬＡＮ４等のネットワークを介して接続されている。また、端末装置１と無線ＡＰ３は、近距離無線通信５等のネットワークを介して接続されている。
【００２５】
端末装置１は、スマートフォン等のタブレット端末で実現され、各外部装置２に対するＩＤの付与、および各種命令を行う。ＩＤは、各外部装置２を識別するために用いる情報である。また、命令としては、各プレーヤー２１に対する楽曲の再生履歴送信命令、ミキサー２２に対する各操作部品の使用履歴送信命令、楽曲ロード命令などを行う。
【００２６】
端末装置１は、その表面略全面に操作パネル１５（タッチパネル）が配設され、裏面上部には、カメラレンズ１４ａが設けられている。なお、端末装置１は、タブレット端末以外に、カメラ付き携帯電話やカメラ付き小型パーソナルコンピューター等で実現しても良い。
【００２７】
複数台の外部装置２は、複数台のプレーヤー２１と、１台のミキサー２２から成る。また、本実施形態において、プレーヤー２１は、プレーヤー（Ａ）〜（Ｄ）の４台を用いるものとする。
【００２８】
各プレーヤー２１は、楽曲（コンテンツ）を再生するＤＪプレイ用の再生装置である。各プレーヤー２１の表面中央には、楽曲の再生速度を可変したりエフェクトを付与したりするためのジョグダイヤル３１が設けられている。また、ジョグダイヤル３１の中央には、ジョグダイヤル表示部３２が設けられている。当該ジョグダイヤル表示部３２は、ＤＪプレイ時において、プレーヤー２１の動作状態を表示したり、楽曲の再生位置およびキューポイントを表示したりするものであるが、ＩＤ設定モード時には、各プレーヤー２１のＭＡＣアドレスを示すＱＲコード（登録商標）７を表示する。
【００２９】
ミキサー２２は、楽曲のミキシングなど、各種オーディオエフェクト付与処理を行うＤＪ機器である。ミキサー２２の表面上部には、各チャンネル（各プレーヤー２１）から出力される音声レベルを調整するためのチャンネルフェーダー３５が設けられている。また、ミキサー２２の表面下部には、タッチパネル３６が設けられている。当該タッチパネル３６は、ＤＪプレイ時において、音声波形や各種メニューを表示したり、周波数帯域ごとにミキシング割合を調整するなど各種操作を行ったりするために用いられるが、ＩＤ設定モード時には、ミキサー２２のＭＡＣアドレスを示すＱＲコード７を表示する。
【００３０】
なお、図１では、プレーヤー２１およびミキサー２２について、代表的な操作子のみを例示したが、実際には他の操作子（各種ツマミ、ボタン、切替スイッチ等）も設けられる。また、ＱＲコード７の表示についても、上記の例によらず、プレーヤー２１またはミキサー２２に設けられた別の表示部に表示させるなど、適宜設計変更が可能である。
【００３１】
次に、図２を参照し、端末装置１のハードウェア構成について説明する。端末装置１は、主なハードウェア構成として、ＣＰＵ（Central  Processing  Unit）１１、メモリー１２、無線通信インターフェース（以下、「無線通信Ｉ／Ｆ」と表記する）１３、カメラ機構１４、操作パネル１５、操作キー１６およびこれらを接続するバス１８を備えている。
【００３２】
ＣＰＵ１１は、バス１８を介し各機構と情報の入出力を行うことで、端末装置１を統括制御する。特に本実施形態では、後述する操作アプリケーションを動作させることにより、各外部装置２を一意に特定するＭＡＣアドレスを取得し、その取得順序に応じて各外部装置２の並び順を認識する（認識部）。また、並び順に応じて各外部装置２にＩＤを付与し、当該ＩＤを用いて各外部装置２に各種命令を行う。詳細については、後述する。
【００３３】
メモリー１２は、上記の操作アプリケーションをはじめ、各種プログラムおよび各種データを不揮発に記憶している。また、メモリー１２は、ミキサー２２に搭載された各操作部品と、その部品寿命とを関連付けた部品寿命テーブルを記憶している（部品寿命記憶部）。当該部品寿命テーブルは、各操作部品の残寿命を判別・表示するために用いられる。さらに、メモリー１２は、複数の楽曲データ（コンテンツ）を記憶している。当該楽曲データは、プレーヤー２１への楽曲ロード処理に用いられる。
【００３４】
無線通信Ｉ／Ｆ１３は、近距離無線通信５、無線ＡＰ３および有線／無線ＬＡＮ４を介して、各外部装置２との通信を行う。特に本実施形態では、各外部装置２へのＩＤおよび各種命令の送信、各外部装置２からの各種情報（楽曲再生履歴、操作部品の使用履歴等）の受信に用いられる（送信部，受信部）。
【００３５】
カメラ機構１４は、図１に示したカメラレンズ１４ａを含み、各外部装置２（プレーヤー２１のジョグダイヤル表示部３２またはミキサー２２のタッチパネル３６）に表示されたＱＲコード７を撮像する。ＣＰＵ１１は、カメラ機構１４により撮像されたＱＲコード７をデコードすることにより、各外部装置２のＭＡＣアドレスを取得する。
【００３６】
操作パネル１５は、各種情報の表示および各種操作に用いられる。特に本実施形態では、機能選択画面Ｄ１（図４参照）、再生履歴表示画面Ｄ２（図６参照）、残寿命表示画面Ｄ３（図８参照）などの表示・操作に用いられる（表示部，操作部）。
【００３７】
操作キー１６は、電源のＯＮ／ＯＦＦ、操作アプリケーションを含む各種アプリケーションの起動／終了、音量調節などに用いられる。なお、当該操作キー１６を、操作パネル１５にＧＵＩ表示しても良い。
【００３８】
次に、図３のフローチャートを参照し、ＩＤ付与処理について説明する。なお、ＩＤ付与処理に先立ち、端末装置１は、操作アプリケーションが起動されているものとする。また、各外部装置２は、ＩＤ設定モードに設定され、ＱＲコード７が表示されているものとする。
【００３９】
まず、端末装置１は、カメラ機構１４により、ＱＲコード７が表示されている各外部装置２を撮像する（Ｓ０１）。ここで、撮像方法としては３つのパターンが考えられる。第１のパターンは、各外部装置２（各ＱＲコード７）を、静止画像として個別に撮像する方法である。この場合、ＩＤ付与の対象となる外部装置２の台数分に相当する数だけ、撮像画像を撮像する。但し、第１のパターンでは、各外部装置２の並び順にしたがって、所定の方向に撮像を行うことが条件となる。また、第２のパターンは、全ての外部装置２を、静止画像または動画像として一括撮像する方法である。但し、第２のパターンでは、後述するＳ０２において、撮像画像に含まれる複数のＱＲコード７を、その並び順にしたがって、デコードすることが条件となる。また、第３のパターンは、各外部装置２を、動画像として順次撮像していく方法である。この場合、後述するＳ０２において、動画像（撮像映像）に含まれるＱＲコード７を、その出現順序（時系列）にしたがってデコードすることが条件となる。
【００４０】
なお、第２のパターンにおいて、「並び順にしたがってデコードする」とは、撮像画像に含まれる複数のＱＲコード７を、予め定められた規則性にしたがって１次元または２次元方向にデコードしていくことを指す。例えば、ＱＲコード７が一列に並んでいる場合は、その列方向に順次デコードし、ＱＲコード７が複数行に渡って並んでいる場合は、第１行の行方向、第２行の行方向・・・最終行の行方向の順にデコードする、または時計回り／反時計回りにデコードする（例えば、第１行に左から「ＱＲコード（１）」、「ＱＲコード（２）」、第２行に左から「ＱＲコード（３）」、「ＱＲコード（４）」が並んでいる場合、「ＱＲコード（１）」、「ＱＲコード（２）」、「ＱＲコード（４）」、「ＱＲコード（３）」の順にデコードする）、などが考えられる。
【００４１】
外部装置２の撮像を終えると、端末装置１（ＣＰＵ１１）は、撮像結果に含まれるＱＲコード７のデコードを行う（Ｓ０２）。上記のとおり、第１のパターン〜第３のパターンのいずれの撮像方法においても、その撮像順序にしたがって、ＱＲコード７のデコードを行う。また、各ＱＲコード７のデコード結果として、各外部装置２のＭＡＣアドレスを取得する。ＭＡＣアドレスを取得すると、その取得順序を外部装置２の並び順として認識する（Ｓ０３）。
【００４２】
続いて、端末装置１（ＣＰＵ１１）は、外部装置２の並び順にしたがって、各外部装置２に対しＩＤの割り当てを行う（Ｓ０４）。そして、各外部装置２に割り当てたＩＤを、Ｓ０２で取得した各外部装置２のＭＡＣアドレスを用いて、各外部装置２に送信する（Ｓ０５）。以上のＩＤ付与処理により、端末装置１は、外部装置２の並び順と、各外部装置２に付与するＩＤの並び順を、一致させることができる。
【００４３】
次に、図４を参照し、端末装置１の操作パネル１５に表示される機能選択画面Ｄ１について説明する。当該機能選択画面Ｄ１は、上記のＩＤ付与処理後に表示される画面である。同図に示すように、機能選択画面Ｄ１には、機能ボタン５１、配置画像５２、ＡＬＬプレーヤーボタン５３、ＯＫボタン５４およびキャンセルボタン５５が表示される。
【００４４】
機能ボタン５１は、「再生履歴」ボタン、「使用履歴」ボタン、「楽曲ロード１」ボタンおよび「楽曲ロード２」ボタンから成る。「再生履歴」ボタンは、各プレーヤー２１から、各プレーヤー２１で再生された楽曲の再生履歴を取得するためのボタンである。また、「使用履歴」ボタンは、ミキサー２２に搭載された各操作部品の使用履歴を取得するためのボタンである。使用履歴としては、使用時間（操作時間または電源投入時間）の累計、使用回数、操作ログ情報などを取得する。なお、使用履歴として、チャンネルフェーダー３５のような駆動部品の使用回数を取得する場合、ある閾値を儲け、閾値以上駆動（移動）された場合、使用回数がカウントされることとなる。また、「楽曲ロード１」ボタンは、端末装置１からプレーヤー２１へ楽曲をロードするためのボタンである。また、「楽曲ロード２」ボタンは、プレーヤー２１間で楽曲をロードするためのボタンである。
【００４５】
一方、配置画像５２は、各外部装置２に対応した各装置画像Ｇを、ＩＤ順に配列したものである。本実施形態では、ＩＤ付与処理における各外部装置２の撮像結果から画像認識を行って外部装置２の種別を判別し、その判別結果に応じて、各外部装置２の種別に応じた装置画像Ｇを表示する。同図の例では、符号Ｇ１，Ｇ２，Ｇ４，Ｇ５は、プレーヤー２１用の装置画像、符号Ｇ３は、ミキサー２２用の装置画像を示している。なお、外部装置２の種別に応じた装置画像Ｇは、予め端末装置１内に記憶されているか、端末装置１と通信可能な外部機器（インターネット上のサーバーなど）内に記憶されており、種別の判別結果に応じて、読み出し・表示されるものとする。
【００４６】
また、各装置画像Ｇには、付与されたＩＤが重畳表示または付加表示される。ユーザーは、配置画像５２に表示された複数の装置画像Ｇの中から、命令信号の送信対象となる任意の外部装置２の装置画像Ｇを選択する。この場合、任意の外部装置２の選択は、１つであっても良いし、複数であっても良い。
【００４７】
ＡＬＬプレーヤーボタン５３は、装置画像Ｇ１，Ｇ２，Ｇ４，Ｇ５を選択する操作を、１回の操作で実現するためのボタンである。つまり、ＡＬＬプレーヤーボタン５３が選択されると、全てのプレーヤー２１に対し、命令信号が送信される。ＯＫボタン５４は、外部装置２の選択を確定するためのボタンであり、任意の装置画像Ｇの選択、またはＡＬＬプレーヤーボタン５３の押下後に押下される。また、キャンセルボタン５５は、機能ボタン５１の選択、装置画像Ｇの選択、またはＡＬＬプレーヤーボタン５３の押下をキャンセルする場合に押下される。
【００４８】
次に、図５ないし図１０を参照し、機能ボタン５１を用いた各操作（各処理）について説明する。図５は、プレーヤー（Ａ）からの再生履歴取得処理の流れを示すフローチャートである。まず、ユーザー操作により、機能選択画面Ｄ１の機能ボタン５１の中から「再生履歴」ボタンが選択され（Ｓ１１）、さらに配置画像５２の中からプレーヤー（Ａ）に対応する装置画像Ｇが選択されると（Ｓ１２）、端末装置１（ＣＰＵ１１）は、プレーヤー（Ａ）に対し、再生履歴送信命令を送信する（Ｓ１３）。これに対し、プレーヤー（Ａ）は、内部メモリー（図示省略）から、再生履歴を読み出し（Ｓ１４）、これを端末装置１に送信する（Ｓ１５）。端末装置１は、受信した再生履歴を、装置画像Ｇ上に重畳表示する（Ｓ１６）。
【００４９】
なお、上記のＳ１５において、プレーヤー２１は、再生履歴として、内部メモリーに記憶されている全ての情報を送信しても良いし、その日分、１週間分など、所定期間の情報を対象として送信しても良い。また、端末装置１から、その所定期間を指定可能としても良い。
【００５０】
図６は、上記のＳ１６にて表示される再生履歴表示画面Ｄ２の表示例を示す図である。再生履歴表示画面Ｄ２には、履歴情報６１、背景画像６２（装置画像Ｇ）およびＩＤ情報６３が表示される。履歴情報６１は、再生履歴（再生ログ情報）を時系列にしたがって表示する。再生履歴としては、再生開始された日時、楽曲タイトル、アーティスト名、レーベル、再生時間等を表示する。また、背景画像６２は、配置画像５２として表示された装置画像Ｇのうち、再生履歴の送信元となるプレーヤー２１に対応する装置画像Ｇを拡大表示する。なお、履歴情報６１の視認性を妨げないよう、背景画像６２の上（前面）に履歴情報６１を表示し、且つ履歴情報６１の文字色を、背景画像６２および背景色と識別可能な色（例えば、白色）にすることが好ましい。また、背景画像６２と背景色を同系色とするため、背景画像６２を、透過性を有する画像として表示しても良い。一方、ＩＤ情報６３としては、再生履歴の送信元となるプレーヤー２１に付与したＩＤを表示する。
【００５１】
次に、図７のフローチャートを参照し、ミキサーからの使用履歴取得処理の流れについて説明する。まず、ユーザー操作により、機能選択画面Ｄ１の機能ボタン５１の中から「使用履歴」ボタンが選択され（Ｓ２１）、さらに配置画像５２の中からミキサー２２に対応する装置画像Ｇが選択されると（Ｓ２２）、端末装置１（ＣＰＵ１１）は、ミキサー２２に対し、使用履歴送信命令を送信する（Ｓ２３）。これに対し、ミキサー２２は、内部メモリー（図示省略）から、各操作部品（チャンネルフェーダー３５、タッチパネル３６など）の使用履歴を読み出し（Ｓ２４）、これを端末装置１に送信する（Ｓ２５）。端末装置１は、受信した各操作部品の使用履歴と、記憶されている各操作部品の部品寿命を比較し（Ｓ２６）、その比較結果（残寿命）を、装置画像Ｇ上に色分け表示する（Ｓ２７）。
【００５２】
図８は、上記のＳ２７にて表示される残寿命表示画面Ｄ３の表示例を示す図である。残寿命表示画面Ｄ３には、ミキサー画像７１（装置画像Ｇ）およびＩＤ情報７７が表示される。同図に示すように、ミキサー画像７１には、チャンネルフェーダー３５を示すフェーダー画像７２と、タッチパネル３６を示すパネル画像７３が含まれる。また、フェーダー画像７２には、各チャンネルフェーダー３５の残寿命に応じた色分けマーカー（同図の例では、符号７４，７５）が重畳表示される。また、パネル画像７３にも、残寿命に応じた色分けマーカー（同図の例では、符号７６）が重畳表示される。色分けマーカーの表示仕様としては、例えば「部品寿命に対して使用回数が８０％以上の場合（交換推奨時期に達した場合）：赤色」、「部品寿命に対して使用回数が５０％以上８０％未満の場合：黄色」、「部品寿命に対して使用回数が２０％以上５０％未満の場合：緑色」、「部品寿命に対して使用回数が２０％未満の場合：色分けマーカーなし」などが考えられる。また、色分け表示に代え、残寿命に応じて、点滅表示、記号付加などで表示形態を変化させても良い。さらに、表示形態を変化させるのではなく、残寿命を示す数値（日数、時間など）を、各部品画像（フェーダー画像７２およびパネル画像７３）に関連付けて表示しても良い。一方、ＩＤ情報７７としては、再生履歴の送信元となるミキサー２２に付与したＩＤを表示する。
【００５３】
次に、図９のフローチャートを参照し、プレーヤー（Ａ）への楽曲ロード処理の流れについて説明する。まず、ユーザー操作により、機能選択画面Ｄ１の機能ボタン５１の中から「楽曲ロード１」ボタンと、端末装置１内に記憶されている楽曲の楽曲リストの中からロード対象となる楽曲Ｘが選択され（Ｓ３１）、さらに配置画像５２の中からプレーヤー（Ａ）に対応する装置画像Ｇが選択されると（Ｓ３２）、端末装置１（ＣＰＵ１１）は、プレーヤー（Ａ）に、自端末装置１への楽曲要求命令を送信する（Ｓ３３）。これに対し、プレーヤー（Ａ）は、端末装置１に、楽曲要求信号を送信する（Ｓ３４）。端末装置１は、当該楽曲要求信号に対し、楽曲Ｘをプレーヤー（Ａ）に送信し（Ｓ３５）、プレーヤー（Ａ）は、当該楽曲Ｘをロードする（読み込む，Ｓ３６）。
【００５４】
なお、上記のＳ３３において、端末装置１は、楽曲Ｘを指定した楽曲要求命令を送信しても良いし、楽曲を指定しない楽曲要求命令を送信しても良い。前者の場合、楽曲Ｘの識別情報と共に楽曲要求命令を送信し、Ｓ３４において、プレーヤー（Ａ）が、楽曲Ｘの識別情報と共に楽曲要求信号を送信することとなる。
【００５５】
次に、図１０のフローチャートを参照し、プレーヤー間の楽曲ロード処理の流れについて説明する。まず、ユーザー操作により、機能選択画面Ｄ１の機能ボタン５１の中から「楽曲ロード２」ボタンが選択され、且つ配置画像５２の中からプレーヤー（Ａ）に対応する装置画像Ｇが選択されると（Ｓ４１）、端末装置１（ＣＰＵ１１）は、プレーヤー（Ａ）に、楽曲リストを要求する（Ｓ４２）。これに対し、プレーヤー（Ａ）は、端末装置１に楽曲リストを送信する（Ｓ４３）。ここで、楽曲リストとは、プレーヤー（Ａ）の内部メモリー、またはプレーヤー（Ａ）に装着されている外部メモリー内に記憶されている楽曲の一覧を指す。
【００５６】
端末装置１は、プレーヤー（Ａ）から送信された楽曲リストを操作パネル１５上に表示し、ユーザー操作により、その中からロード対象となる楽曲Ｘが選択される（Ｓ４４）。さらに、ユーザー操作により、プレーヤー（Ｂ）に対応する装置画像Ｇが選択されると（Ｓ４５）、端末装置１は、プレーヤー（Ｂ）に、プレーヤー（Ａ）への楽曲Ｘの要求命令（楽曲Ｘを指定した楽曲要求命令）を送信する（Ｓ４６）。プレーヤー（Ｂ）は、当該要求命令に対し、プレーヤー（Ａ）に、楽曲Ｘの要求信号を送信する（Ｓ４７）。プレーヤー（Ａ）は、当該要求信号に対し、楽曲Ｘをプレーヤー（Ｂ）に送信し（Ｓ４８）、プレーヤー（Ｂ）は、当該楽曲Ｘをロードする（Ｓ４９）。
【００５７】
以上説明したとおり、第１実施形態によれば、端末装置１の操作パネル１５に、外部装置２の並び順にしたがって複数の装置画像Ｇを表示し（図４参照）、これら複数の装置画像Ｇの中から、命令信号の送信対象となる任意の装置画像Ｇを選択する構成であるため、外部装置２に対して各種命令を行う際の利便性を向上できる。つまり、外部装置２の並び順と装置画像Ｇの並び順が確実に一致するため、意図しない外部装置２に対して、誤って命令信号を送信してしまうことがない。
【００５８】
また、外部装置２に対する命令として、プレーヤー２１に再生履歴送信命令を送信し、プレーヤー２１から受信した楽曲再生履歴を、対応する装置画像Ｇに関連付けて表示するため、ユーザーが、楽曲再生履歴と、それを再生したプレーヤー２１との関連性を一目で把握できる。また、外部装置２に対する命令として、ミキサー２２に使用履歴送信命令を送信し、ミキサー２２から受信した各操作部品の使用履歴と部品寿命との比較結果を、対応する装置画像Ｇに関連付けて表示するため、ユーザーが、ミキサー２２における各操作部品の残寿命を一目で把握できる。さらに、外部装置２に対する命令として、楽曲ロード命令を送信可能であるため、端末装置１からプレーヤー２１への楽曲ロード、またはプレーヤー２１間の楽曲ロードを実現できる。
【００５９】
なお、上記の実施形態（図１０に示したフローチャート）では、プレーヤー２１間の楽曲ロードについて説明したが、プレーヤー２１から端末装置１への楽曲ロードを可能としても良い。例えば、プレーヤー（Ａ）から楽曲ロードを行う場合、端末装置１は、Ｓ４１〜Ｓ４４の後、プレーヤー（Ａ）に、楽曲Ｘの要求信号を送信し、プレーヤー（Ａ）は、楽曲Ｘを端末装置１に送信することとなる。
【００６０】
また、上記の実施形態では、外部装置２に対する命令として、楽曲ロード命令を送信可能としたが、他の情報（所定の情報）の要求命令を送信可能としても良い。例えば、他の情報として、楽曲再生履歴、操作部品の使用履歴などの要求命令を送信可能とすることで、複数の外部装置２のうち１の外部装置２に、情報を収集し、当該１の外部装置２をサーバーとして用いることができる。そして、端末装置１は、当該１の外部装置２と通信を行うことで、複数の外部装置２に関する情報を取得することができる。
【００６１】
また、上記の実施形態では、機能選択画面Ｄ１に表示する装置画像Ｇとして、外部装置２の種別（プレーヤー２１またはミキサー２２）に応じた画像を表示するものとしたが、カメラ機構１４による撮像結果を用いても良い。この場合、ＩＤ付与処理における各外部装置２の撮像結果を利用し、撮像画像から装置領域をトリミングしたものを、装置画像Ｇとして用いる。この構成によれば、外部装置２の実際の撮像結果が、装置画像Ｇとして用いられるため、付加表記されたＩＤだけでなく、各外部装置２のデザインによっても、各外部装置２の識別が可能となる。
【００６２】
また、上記の実施形態では、各外部装置２の撮像結果を画像認識することにより、外部装置２の種別を判別するものとしたが、ＭＡＣアドレスに応じて、外部装置２の種別を判別しても良い。この場合、各外部装置２のＭＡＣアドレスと、外部装置２の種別を関連付けた種別テーブルを予め端末装置１内に記憶しておくことが前提となる。
【００６３】
また、種別テーブルを記憶しておくのではなく、各外部装置２の種別を示す識別情報をＱＲコード７に含めておき、当該ＱＲコード７のデコード結果から、外部装置２の種別を判別しても良い。
【００６４】
また、上記の実施形態では、残寿命表示画面Ｄ３において、各操作部品の残寿命を色分け表示するものとしたが、残寿命に代えて、経時変化率（部品寿命に対する使用度の割合）を表示しても良い。また、ミキサー２２から受信した使用履歴そのものを表示しても良い。また、各操作部品の劣化に関する情報だけでなく、各操作部品の状態に関する情報を受信し、それを表示しても良い。例えば、故障部品、エラー発生対象部品などを、その他の正常部品と表示形態を異ならせて表示することが考えられる。
【００６５】
また、上記の実施形態では、使用履歴送信命令を、ミキサー２２に対して送信するものとしたが、プレーヤー２１に対して送信可能としても良い。この場合、機能選択画面Ｄ１上に、ＡＬＬボタン（図示省略）を設け、当該ＡＬＬボタンの選択により、配置画像５２として表示されている全ての装置画像Ｇに対応する外部装置２に、使用履歴命令信号を送信可能としても良い。また、プレーヤー２１に対して使用履歴送信命令を送信する場合、使用履歴を取得する操作部品としてジョグダイヤル３１を含めても良い。
【００６６】
また、上記の実施形態では、操作部品の部品寿命を、端末装置１内に記憶しておく構成としたが、外部装置２側に記憶しておいても良い。この場合、端末装置１からの使用履歴送信命令に対し、外部装置２側で、各操作部品の使用履歴と部品寿命とを比較し、その比較結果を端末装置１に送信する構成としても良い。比較結果としては、色分けマーカーの色情報を送信しても良いし、残寿命または経時変化率などを示す数値を送信しても良い。
【００６７】
また、上記の実施形態では、各外部装置２に表示されたＱＲコード７を撮像することによってＭＡＣアドレスを取得したが、当該ＱＲコード７は、必ずしも表示されなくても良い。例えば、各外部装置２の筐体上に、直接ＱＲコード７を印刷したり、各外部装置２の筐体上に、ＱＲコード７を印刷したラベルを貼付したりしても良い。
【００６８】
また、各外部装置２にＱＲコード７を表示、印刷または貼付するのではなく、別の装置または媒体にＱＲコード７を表示、印刷または貼付しても良い。例えば、各外部装置２を第１の端末装置（別の装置）で撮像し、第２の端末装置（本実施形態の端末装置１）でその撮像画像データを受信し、撮像画像データに含まれるＱＲコード７をデコードしてＭＡＣアドレスを取得しても良い。また、第１の端末装置で撮像した写真（別の媒体）を、第２の端末装置でスキャニングし、スキャニングデータに含まれるＱＲコード７をデコードしてＭＡＣアドレスを取得しても良い。
【００６９】
また、上記の実施形態では、外部装置２を一意に特定する情報として、ＭＡＣアドレスを用いたが、ＩＰ（Internet  Protocol）アドレスを用いても良い。ＩＰアドレスは、外部装置２間、または各外部装置２とＬＡＮ接続されたコンピューターにより、各外部装置２に通信プロトコル識別子として割り振られる情報である。その他、複数の外部装置２間で各装置を一意に特定可能な情報を、ＭＡＣアドレスの代わりに用いても良い。
【００７０】
また、外部装置２を一意に特定する情報を、ＱＲコード７の撮像結果から取得するのではなく、他の特定画像から取得しても良い。他の特定画像としては、ＱＲコード以外の２次元コード、バーコード、ＡＲマーカー等のマーカーなどが考えられる。
【００７１】
また、外部装置２を一意に特定する情報を、特定画像の撮像結果から取得するのではなく、電子化情報として取得しても良い。例えば、ＲＦＩＤ（Radio  Frequency  IDentification）技術により、各外部装置２に搭載された無線ＩＣチップからＭＡＣアドレスを読み出す（受信する）構成としても良い。この場合、端末装置１には、ＲＦＩＤリーダーを搭載する必要がある。
【００７２】
また、上記の実施形態では、外部装置２間がＬＡＮ接続されている場合を例示したが、必ずしも接続されていなくても良い。また、外部装置２は、必ずしも複数台である必要はなく、１台でも良い。
【００７３】
［第２実施形態］
次に、図１１および図１２を参照し、本発明の第２実施形態について説明する。上記の第１実施形態では、端末装置１が外部装置２に対して命令信号を送信したが、本実施形態は、外部装置２に接続されたサーバー６（接続装置）に対して命令信号を送信する点で異なる。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００７４】
図１１は、第２実施形態に係る通信システムＳＹのシステム構成図である。本実施形態に係る通信システムＳＹは、第１実施形態（図１参照）と比較して、有線／無線ＬＡＮ４に、サーバー６が接続された構成となっている。そして、端末装置１は、近距離無線通信５を介して、サーバー６との通信を行う。なお、本実施形態では、端末装置１と外部装置２との直接通信はしない、若しくはできないものとする。
【００７５】
サーバー６は、データベース６１を有している。データベース６１は、各外部装置２からアップロードされた楽曲再生履歴、操作部品の使用履歴、楽曲データを、各外部装置２のＩＤと関連付けて記憶している。また、各外部装置２からの、これらの情報のアップロードのタイミングとしては、定期的に行う、楽曲の再生ごとに行う、電源ＯＮ／ＯＦＦ時に行う、などが考えられる。また、ユーザーが、各外部装置２またはサーバー６に対して所定の操作を行ったときに、アップロードを行う構成としても良い。なお、外部装置２のＩＤが更新（変更）された場合、各外部装置２は、変更前ＩＤと変更後ＩＤをサーバー６に送信し、サーバー６は、変更前ＩＤを変更後ＩＤに書き替える処理を行う。
【００７６】
ここで、図１２のフローチャートを参照し、本実施形態に係るプレーヤー（Ａ）からの再生履歴取得処理の流れについて説明する。まず、ユーザー操作により、機能選択画面Ｄ１の機能ボタン５１の中から「再生履歴」ボタンが選択され（Ｓ５１）、さらにプレーヤー（Ａ）に対応する装置画像Ｇが選択されると（Ｓ５２）、端末装置１（ＣＰＵ１１）は、サーバー６に対し、プレーヤー（Ａ）に付与したＩＤである「ＩＤ：１」と再生履歴送信命令を送信する（Ｓ５３）。これに対し、サーバー６は、データベース６１から「ＩＤ：１」の再生履歴を読み出し（Ｓ５４）、これを端末装置１に送信する（Ｓ５５）。端末装置１は、受信した再生履歴を、プレーヤー（Ａ）に対応する装置画像Ｇ上に重畳表示する（Ｓ５６）。
【００７７】
なお、特に図示しないが、機能選択画面Ｄ１の機能ボタン５１の中から「使用履歴」ボタンが選択された場合（使用履歴取得処理，図７参照）については、図１２と同様に、ＩＤを付加して命令信号を送信する点、通信対象がサーバー６となる点のみが第１実施形態と異なる。
【００７８】
また、機能選択画面Ｄ１の機能ボタン５１の中から「楽曲ロード１」ボタンが選択された場合（楽曲ロード処理，図９参照）は、端末装置１からサーバー６に楽曲ロードされることになり、ＩＤを付加して命令信号を送信する点、通信対象がサーバー６となる点が第１実施形態と異なる。また、楽曲ロードの後（Ｓ３６に相当する工程の後）、サーバー６が、ＩＤ指定されたプレーヤー２１に対し、楽曲Ｘを送信し、ＩＤ指定されたプレーヤー２１が、楽曲ロードを行う工程が追加となる。
【００７９】
また、機能選択画面Ｄ１の機能ボタン５１の中から「楽曲ロード２」ボタンが選択された場合（楽曲ロード処理，図１０参照）は、プレーヤー（Ａ）をサーバー６と読み替えることにより、サーバー６からプレーヤー（Ｂ）への楽曲ロードを実現できる。
【００８０】
以上説明したとおり、第２実施形態によれば、複数の外部装置２と接続されたサーバー６で各外部装置２に関する情報を一元管理する構成において、サーバー６に対し、任意の外部装置２を指定して命令を行う場合の利便性を向上できる。
【００８１】
なお、上記の第２実施形態では、複数の外部装置２とサーバー６をＬＡＮ接続した場合について例示したが、例えばＤＪアプリケーションがインストールされたパーソナルコンピューター（接続装置）をＬＡＮ接続し、当該パーソナルコンピューターで情報の一元管理をすると共に、パーソナルコンピューターと端末装置１を通信可能としても良い。
【００８２】
また、第２実施形態においても、無線ＡＰ３をＬＡＮ接続し、端末装置１と外部装置２を直接通信可能としても良い。但しこの場合、通信対象をサーバー６とするか外部装置２とするかの選択手段を設ける必要がある。例えば、機能選択画面Ｄ１にサーバー画像を表示し、サーバー画像と装置画像Ｇが選択された場合は、通信対象をサーバー６とし、装置画像Ｇに対応する外部装置２を指定した命令信号を送信する。また、装置画像Ｇが２回連続して選択された場合は、その装置画像Ｇに対応する外部装置２を通信対象とし、当該外部装置２に命令信号を送信する。また、ＤＪアプリケーションがインストールされたパーソナルコンピューターをＬＡＮ接続した場合は、サーバー画像に代えて、パーソナルコンピューターに対応するＰＣ画像を機能選択画面Ｄ１に表示することで、各プレーヤー２１からパーソナルコンピューターへの楽曲ロードも実現可能である。また、サーバー６やパーソナルコンピューターで情報の一元管理をするのではなく、ミキサー２２によって情報の一元管理をしても良い。この場合、端末装置１はミキサー２２と通信可能であれば良い。
【００８３】
また、上記の第２実施形態では、第１実施形態と同様に、操作部品の部品寿命を端末装置１内に記憶しておくことを前提としたが、これをサーバー６内に記憶しておいても良い。その他、情報を一元管理するパーソナルコンピューターや、ミキサー２２に、操作部品の部品寿命を記憶しておいても良い。
【００８４】
また、上記の第２実施形態では、端末装置１とサーバー６が直接通信する構成を示したが、外部装置２を介して通信を行う構成としても良い。例えば、端末装置１が任意の外部装置２に対し再生履歴送信命令を送信し、任意の外部装置２は、これをサーバー６に転送する。サーバー６は、データベース６１内に記憶されている任意の外部装置２の再生履歴を読み出し、任意の外部装置２に送信する。任意の外部装置２は、これを端末装置１に転送する、といった構成でも良い。但しこの場合は、端末装置１と任意の外部装置２が直接通信できることが前提である。
【００８５】
以上、２つの実施形態を示したが、各実施形態に示した端末装置１、外部装置２またはサーバー６の各構成要素をプログラムとして提供することが可能である。また、そのプログラムを各種記録媒体（ＣＤ−ＲＯＭ、フラッシュメモリー等）に格納して提供することも可能である。すなわち、コンピューターを端末装置１、外部装置２またはサーバー６の各構成要素として機能させるためのプログラム、並びにそれを記録した記録媒体も、本発明の権利範囲に含まれる。
【００８６】
その他、本発明の要旨を逸脱しない範囲で、適宜変更が可能である。例えば、ＩＤの付与対象となる外部装置は、プレーヤー２１やミキサー２２以外の他のＤＪ機器であっても良い。また、楽曲以外のコンテンツを再生する再生装置であっても良いし、再生装置以外の電子機器であっても良い。
【符号の説明】
【００８７】
１…端末装置  ２…外部装置  ３…無線ＡＰ  ４…有線／無線ＬＡＮ  ５…近距離無線通信  ６…サーバー  ７…ＱＲコード  １１…ＣＰＵ  １２…メモリー  １３…無線通信インターフェース  １４…カメラ機構  １４ａ…カメラレンズ  １５…操作パネル  １６…操作キー  １８…バス  ２１…プレーヤー  ２２…ミキサー  ３１…ジョグダイヤル  ３２…ジョグダイヤル表示部  ３５…チャンネルフェーダー  ３６…タッチパネル  ５１…機能ボタン  ５２…配置画像  ５３…ＡＬＬプレーヤーボタン  ５４…ＯＫボタン  ５５…キャンセルボタン  ６０…データベース  ６１…履歴情報  ６２…背景画像  ６３…ＩＤ情報  ７１…ミキサー画像  ７２…フェーダー画像  ７３…パネル画像  ７４〜７６…色分けマーカー  ７７…ＩＤ情報  Ｄ１…機能選択画面  Ｄ２…再生履歴表示画面  Ｄ３…残寿命表示画面  Ｇ…装置画像  ＳＹ…通信システム
【図１】
2014099025.tif 000003
【図２】
2014099025.tif 000004
【図３】
2014099025.tif 000005
【図４】
2014099025.tif 000006
【図５】
2014099025.tif 000007
【図６】
2014099025.tif 000008
【図７】
2014099025.tif 000009
【図８】
2014099025.tif 000010
【図９】
2014099025.tif 000011
【図１０】
2014099025.tif 000012
【図１１】
2014099025.tif 000013
【図１２】
2014099025.tif 000014